(57)【要約】【課題】出力モニタ端子を備える高周波機器であって、出力モニタ端子に接続される測定装置が内部電源にて動作するタイプのものであっても測定対象の信号に重畳して当該測定装置の入力端子に供給される重畳電力にて動作するタイプのものであっても、高周波機器の出力信号をモニタすることができる高周波機器を提供する。【解決手段】入力端子Ｔ１及びＴ２と、入力端子Ｔ１及びＴ２に入力される高周波信号を処理する信号処理部（アンプＡ１及びＡ２並びに混合器１）と、前記信号処理部から出力される信号が供給される出力端子Ｔ３と、前記信号処理部と出力端子Ｔ３との間に設けられる分岐器２と、分岐器２の分岐出力信号が供給される出力モニタ端子Ｔ４と、電源ラインと出力モニタ端子Ｔ４との間の通電／遮断を行う給電スイッチＳＷ２とを備え、給電スイッチＳＷ２がオン状態である場合に出力モニタ端子Ｔ４に電源が重畳される高周波機器。【選択図】図１
2010114789.tif 000002
【特許請求の範囲】
【請求項１】
少なくとも１つの入力端子と、前記少なくとも１つの入力端子に入力される高周波信号を処理する信号処理部と、前記信号処理部から出力される信号が供給される少なくとも１つの出力端子と、前記信号処理部と前記少なくとも１つの出力端子との間に設けられる分岐器と、前記分岐器の分岐出力信号が供給される出力モニタ端子とを備えた高周波機器であって、
前記高周波機器内の電源ラインと前記出力モニタ端子との間の通電／遮断を行う給電スイッチを備え、前記給電スイッチがオン状態である場合に前記出力モニタ端子に電源が重畳されることを特徴とする高周波機器。
【請求項２】
定電圧回路を備え、前記給電スイッチが、前記定電圧回路の出力端に接続されている電源ラインと前記出力モニタ端子との間の通電／遮断を行う請求項１に記載の高周波機器。
【請求項３】
前記少なくとも１つの出力端子のうちの１つである第１の出力端子に、前記第１の出力端子に接続される外部機器から電力が重畳され、
前記信号処理部と前記第１の出力端子との間の接続ラインが、前記信号処理部から前記第１の出力端子に信号を伝送する信号伝送ラインであるとともに、前記第１の出力端子から前記信号処理部に電力を供給する電源ラインであり、
前記給電スイッチが、前記接続ラインと前記出力モニタ端子との間の通電／遮断を行う請求項１に記載の高周波機器。
【発明の詳細な説明】
【技術分野】
【０００１】
本発明は、高周波信号を処理する高周波機器に関する。
【背景技術】
【０００２】
高周波信号を処理する高周波機器の中には、通常動作状態のまま測定装置（例えばレベルチェッカ）を接続して当該高周波機器の出力信号をモニタすることができる出力モニタ端子を備えるものがある（例えば特許文献１参照）。ここでは、出力モニタ端子を備える従来の高周波機器として、ブースタを例に挙げて説明する。
【０００３】
出力モニタ端子を備える従来のブースタの一構成例を図４に示す。図４に示すブースタは、ＵＨＦ／ＵＨＦ・ＶＨＦ入力端子Ｔ１と、ＣＳ／ＢＳ−ＩＦ入力端子Ｔ２と、アンプＡ１及びＡ２と、混合器１と、分岐器２と、出力端子Ｔ３と、ブースタの出力信号をモニタするための出力モニタ端子Ｔ４と、ＡＣプラグ３と、定電圧回路４と、給電スイッチＳＷ１と、直流阻止用コンデンサＣ１及びＣ２と、高周波阻止用コイルＬ１とを備えている。
【０００４】
ＵＨＦ／ＵＨＦ・ＶＨＦ入力端子Ｔ１には、ＵＨＦ帯受信用アンテナ（不図示）によって受信されたＵＨＦ帯の地上波放送信号、又は、ＵＨＦ帯受信用アンテナ（不図示）及びＶＨＦ帯受信用アンテナ（不図示）によってそれぞれ受信されたＵＨＦ帯の地上波放送信号及びＶＨＦ帯の地上波放送信号を混合器（不図示）で混合した混合信号が入力される。一方、ＣＳ／ＢＳ−ＩＦ入力端子Ｔ２には、衛星放送受信用アンテナ（不図示）によって受信され、当該衛星放送受信用アンテナに付属するＬＮＢ（Low Noise Block Converter、不図示）によって周波数変換された衛星放送中間周波（ＣＳ／ＢＳ−ＩＦ）信号が入力される。
【０００５】
ＵＨＦ／ＵＨＦ・ＶＨＦ入力端子Ｔ１に入力された地上波放送信号はアンプＡ１によって増幅され、ＣＳ／ＢＳ−ＩＦ入力端子Ｔ２に入力された衛星放送中間周波信号はアンプＡ２によって増幅され、増幅された地上波放送信号及び衛星放送中間周波信号は混合器１によって混合され、出力端子Ｔ３に供給される。混合器１の出力側と出力端子Ｔ３との間に分岐器２が設けられ、分岐器２の分岐出力信号が出力モニタ端子Ｔ４に供給される。
【０００６】
また、ＡＣプラグ３が商用電源コンセント（不図示）に接続される。定電圧回路４は、ＡＣプラグ３から入力されるＡＣ電力を所定電圧値（例えば１５Ｖ）のＤＣ電力に変換する。定電圧回路４から出力される所定電圧値のＤＣ電力は、アンプＡ１及びＡ２に駆動電源として供給され、さらに給電スイッチＳＷ１がオン状態であるときにＣＳ／ＢＳ−ＩＦ入力端子Ｔ２に重畳される。したがって、給電スイッチＳＷ１をオン状態にすることにより、所定電圧値のＤＣ電力が、ＣＳ／ＢＳ−ＩＦ入力端子Ｔ２に接続される衛星放送受信用アンテナに付属するＬＮＢに駆動電源として供給される。
【０００７】
【特許文献１】特開平１１−３４０７４８号公報(第１図、段落００１７)
【発明の開示】
【発明が解決しようとする課題】
【０００８】
ブースタの出力信号をモニタする際には出力モニタ端子Ｔ４に測定装置を接続する。図４に示すブースタでは、出力モニタ端子Ｔ４に接続される測定装置が内部電源（電池等）にて動作するタイプのものである場合はブースタの出力信号をモニタすることができるが、出力モニタ端子Ｔ４に接続される測定装置が測定対象の信号に重畳して当該測定装置の入力端子に供給される重畳電力にて動作するタイプのものである場合はブースタの出力信号をモニタすることができないという問題があった。
【０００９】
なお、図４に示すブースタのみならず、出力モニタ端子を備える従来の高周波機器全般において、上記の問題、すなわち、出力モニタ端子に接続される測定装置が測定対象の信号に重畳して当該測定装置の入力端子に供給される重畳電力にて動作するタイプのものである場合は高周波機器の出力信号をモニタすることができないという問題が生じていた。
【００１０】
本発明は、上記の状況に鑑み、出力モニタ端子を備える高周波機器であって、出力モニタ端子に接続される測定装置が内部電源にて動作するタイプのものであっても測定対象の信号に重畳して当該測定装置の入力端子に供給される重畳電力にて動作するタイプのものであっても、高周波機器の出力信号をモニタすることができる高周波機器を提供することを目的とする。
【課題を解決するための手段】
【００１１】
上記目的を達成するために本発明に係る高周波機器は、少なくとも１つの入力端子と、前記少なくとも１つの入力端子に入力される高周波信号を処理する信号処理部と、前記信号処理部から出力される信号が供給される少なくとも１つの出力端子と、前記信号処理部と前記少なくとも１つの出力端子との間に設けられる分岐器と、前記分岐器の分岐出力信号が供給される出力モニタ端子と、前記高周波機器内の電源ラインと前記出力モニタ端子との間の通電／遮断を行う給電スイッチとを備え、前記給電スイッチがオン状態である場合に前記出力モニタ端子に電源が重畳される構成としている。
【００１２】
また、定電圧回路を備え、前記給電スイッチが、前記定電圧回路の出力端に接続されている電源ラインと前記出力モニタ端子との間の通電／遮断を行うようにしてもよい。
【００１３】
また、前記少なくとも１つの出力端子のうちの１つである第１の出力端子に、前記第１の出力端子に接続される外部機器から電力が重畳され、前記信号処理部と前記第１の出力端子との間の接続ラインが、前記信号処理部から前記第１の出力端子に信号を伝送する信号伝送ラインであるとともに、前記第１の出力端子から前記信号処理部に電力を供給する電源ラインであり、前記給電スイッチが、前記接続ラインと前記出力モニタ端子との間の通電／遮断を行うようにしてもよい。
【発明の効果】
【００１４】
本発明に係る高周波機器は、上述した通り、少なくとも１つの入力端子と、前記少なくとも１つの入力端子に入力される高周波信号を処理する信号処理部と、前記信号処理部から出力される信号が供給される少なくとも１つの出力端子と、前記信号処理部と前記少なくとも１つの出力端子との間に設けられる分岐器と、前記分岐器の分岐出力信号が供給される出力モニタ端子と、前記高周波機器内の電源ラインと前記出力モニタ端子との間の通電／遮断を行う給電スイッチとを備え、前記給電スイッチがオン状態である場合に前記出力モニタ端子に電源が重畳される構成である。
【００１５】
このような構成によると、前記出力モニタ端子に測定装置を接続することにより、通常動作状態のまま前記高周波機器の出力信号をモニタすることが可能となる。
【００１６】
また、このような構成によると、前記出力モニタ端子に接続される測定装置が内部電源（電池等）にて動作するタイプのものである場合は、ユーザ操作により前記給電スイッチをオフ状態にすることで、測定装置が問題なく動作し、前記高周波機器の出力信号をモニタすることができる。一方、前記出力モニタ端子に接続される測定装置が測定対象の信号に重畳して当該測定装置の入力端子に供給される重畳電力にて動作するタイプのものである場合は、ユーザ操作により前記給電スイッチをオン状態にすることで、測定装置が問題なく動作し、高周波機器の出力信号をモニタすることができる。
【発明を実施するための最良の形態】
【００１７】
本発明の実施形態について図面を参照して以下に説明する。ここでは、本発明に係る高周波機器として、ブースタを例に挙げて説明する。
【００１８】
本発明に係るブースタの一構成例を図１に示す。なお、図１において図４と同一の部分には同一の符号を付す。図１に示すブースタは、ＵＨＦ／ＵＨＦ・ＶＨＦ入力端子Ｔ１と、ＣＳ／ＢＳ−ＩＦ入力端子Ｔ２と、アンプＡ１及びＡ２と、混合器１と、分岐器２と、出力端子Ｔ３と、ブースタの出力信号をモニタするための出力モニタ端子Ｔ４と、ＡＣプラグ３と、定電圧回路４と、給電スイッチＳＷ１及びＳＷ２と、直流阻止用コンデンサＣ１〜Ｃ４と、高周波阻止用コイルＬ１及びＬ２とを備えている。図１に示すブースタでは、アンプＡ１及びＡ２並び混合器１が、入力端子（ＵＨＦ／ＵＨＦ・ＶＨＦ入力端子Ｔ１、ＣＳ／ＢＳ−ＩＦ入力端子Ｔ２）に入力される高周波信号（地上波放送信号、衛星放送中間周波信号）を処理する信号処理部となっている。
【００１９】
ＵＨＦ／ＵＨＦ・ＶＨＦ入力端子Ｔ１には、ＵＨＦ帯受信用アンテナ（不図示）によって受信されたＵＨＦ帯の地上波放送信号、又は、ＵＨＦ帯受信用アンテナ（不図示）及びＶＨＦ帯受信用アンテナ（不図示）によってそれぞれ受信されたＵＨＦ帯の地上波放送信号及びＶＨＦ帯の地上波放送信号を混合器（不図示）で混合した混合信号が入力される。一方、ＣＳ／ＢＳ−ＩＦ入力端子Ｔ２には、衛星放送受信用アンテナ（不図示）によって受信され、当該衛星放送受信用アンテナに付属するＬＮＢ（不図示）によって周波数変換された衛星放送中間周波（ＣＳ／ＢＳ−ＩＦ）信号が入力される。
【００２０】
ＵＨＦ／ＵＨＦ・ＶＨＦ入力端子Ｔ１に入力された地上波放送信号はアンプＡ１によって増幅され、ＣＳ／ＢＳ−ＩＦ入力端子Ｔ２に入力された衛星放送中間周波信号はアンプＡ２によって増幅され、増幅された地上波放送信号及び衛星放送中間周波信号は混合器１によって混合され、出力端子Ｔ３に供給される。混合器１の出力側と出力端子Ｔ３の前段に設けられた直流阻止用コンデンサＣ３との間に分岐器２が設けられ、分岐器２の分岐出力信号が出力モニタ端子Ｔ４に供給される。
【００２１】
また、ＡＣプラグ３が商用電源コンセント（不図示）に接続される。定電圧回路４は、ＡＣプラグ３から入力されるＡＣ電力を所定電圧値のＤＣ電力に変換する。定電圧回路４から出力される所定電圧値のＤＣ電力は、アンプＡ１及びＡ２に駆動電源として供給され、さらに給電スイッチＳＷ１がオン状態であるときにＣＳ／ＢＳ−ＩＦ入力端子Ｔ２に重畳され、さらに給電スイッチＳＷ２がオン状態であるときに出力モニタ端子Ｔ４に重畳される。したがって、給電スイッチＳＷ１をオン状態にすることにより、所定電圧値のＤＣ電力が、ＣＳ／ＢＳ−ＩＦ入力端子Ｔ２に接続される衛星放送受信用アンテナに付属するＬＮＢに駆動電源として供給される。また、給電スイッチＳＷ２をオン状態にすることにより、所定電圧値のＤＣ電力が、出力モニタ端子Ｔ４に接続される測定装置（不図示）に駆動電源として供給される。
【００２２】
ブースタの出力信号をモニタする際には出力モニタ端子Ｔ４に測定装置を接続する。これにより、通常動作状態のままブースタの出力信号をモニタすることが可能となり、アンテナとブースタとの接続不良等によるブースタの出力レベル不足やブースタの調整・設定不良等を確認することができる。
【００２３】
なお、出力モニタ端子Ｔ４と測定装置との接続形態は、出力モニタ端子Ｔ４と測定装置の入力端子とが直接接続される形態、出力モニタ端子Ｔ４と測定装置の入力端子とが同軸ケーブル等を介して接続される形態のいずれであっても構わない。
【００２４】
出力モニタ端子Ｔ４に接続される測定装置が内部電源（電池等）にて動作するタイプのものである場合は、ユーザ操作により給電スイッチＳＷ２をオフ状態にすることで、測定装置が問題なく動作し、ブースタの出力信号をモニタすることができる。一方、出力モニタ端子Ｔ４に接続される測定装置が測定対象の信号に重畳して当該測定装置の入力端子に供給される重畳電力にて動作するタイプのものである場合は、ユーザ操作により給電スイッチＳＷ２をオン状態にすることで、測定装置が問題なく動作し、ブースタの出力信号をモニタすることができる。
【００２５】
出力モニタ端子Ｔ４に接続される測定装置の一例として、図２に示す簡易レベルチェッカが挙げられる。
【００２６】
図２（ａ）に示す簡易レベルチェッカは、内部電源（電池等）にて動作するタイプのものであり、入力端子（例えばＦ形コネクタ）１１と、受信する放送の種類、受信チャンネル、及び受信レベルを表示するための表示部１２と、受信する放送の種類（例えば、フルセグ地上デジタル放送、ワンセグ地上デジタル放送、地上アナログ放送、衛星放送など）を切り換えるためのメニューボタン１３と、受信チャンネルを選択するためのチャンネルボタン１４と、受信レベルのレンジを切り換えるためのレンジ切換ボタン１５と、電源のオン／オフを切り換えるための電源ボタン１６とを備えている。
【００２７】
図２（ｂ）に示す簡易レベルチェッカは、入力端子に供給される重畳電力にて動作するタイプのものであり、入力端子（例えばＦ形コネクタ）１１と、受信する放送の種類、受信チャンネル、及び受信レベルを表示するための表示部１２と、受信する放送の種類（例えば、フルセグ地上デジタル放送、ワンセグ地上デジタル放送、地上アナログ放送、衛星放送など）を切り換えるためのメニューボタン１３と、受信チャンネルを選択するためのチャンネルボタン１４と、受信レベルのレンジを切り換えるためのレンジ切換ボタン１５とを備えており、入力端子１１に所定電圧値のＤＣ電力が供給されると自動的に電源がオンになる。
【００２８】
次に、本発明に係るブースタの他の構成例を図３に示す。なお、図３において図１と同一の部分には同一の符号を付す。図３に示すブースタは、ＵＨＦ／ＵＨＦ・ＶＨＦ入力端子Ｔ１と、ＣＳ／ＢＳ−ＩＦ入力端子Ｔ２と、アンプＡ３及びＡ４と、混合器１と、分岐器２と、出力端子Ｔ３と、ブースタの出力信号をモニタするための出力モニタ端子Ｔ４と、給電スイッチＳＷ３と、直流阻止用コンデンサＣ１及びＣ４と、高周波阻止用コイルＬ３及びＬ４とを備えている。図３に示すブースタでは、アンプＡ３及びＡ４並び混合器１が、入力端子（ＵＨＦ／ＵＨＦ・ＶＨＦ入力端子Ｔ１、ＣＳ／ＢＳ−ＩＦ入力端子Ｔ２）に入力される高周波信号（地上波放送信号、衛星放送中間周波信号）を処理する信号処理部となっている。
【００２９】
ＵＨＦ／ＵＨＦ・ＶＨＦ入力端子Ｔ１には、ＵＨＦ帯受信用アンテナ（不図示）によって受信されたＵＨＦ帯の地上波放送信号、又は、ＵＨＦ帯受信用アンテナ（不図示）及びＶＨＦ帯受信用アンテナ（不図示）によってそれぞれ受信されたＵＨＦ帯の地上波放送信号及びＶＨＦ帯の地上波放送信号を混合器（不図示）で混合した混合信号が入力される。一方、ＣＳ／ＢＳ−ＩＦ入力端子Ｔ２には、衛星放送受信用アンテナ（不図示）によって受信され、当該衛星放送受信用アンテナに付属するＬＮＢ（不図示）によって周波数変換された衛星放送中間周波（ＣＳ／ＢＳ−ＩＦ）信号が入力される。
【００３０】
ＵＨＦ／ＵＨＦ・ＶＨＦ入力端子Ｔ１に入力された地上波放送信号はアンプＡ３によって増幅され、ＣＳ／ＢＳ−ＩＦ入力端子Ｔ２に入力された衛星放送中間周波信号はアンプＡ４によって増幅され、増幅された地上波放送信号及び衛星放送中間周波信号は混合器１によって混合され、出力端子Ｔ３に供給される。混合器１の出力側と出力端子Ｔ３との間に分岐器２が設けられ、分岐器２の分岐出力信号が出力モニタ端子Ｔ４に供給される。
【００３１】
また、図３に示すブースタは、所定電圧値のＤＣ電力を入力端子から出力する通電機能を有する外部機器（例えば、所定電圧値のＤＣ電力を入力端子から出力する通電機能を有するブースタ用電源、所定電圧値のＤＣ電力を入力端子から出力する通電機能を有する衛星放送受信用チューナ等。以下、通電機能付き外部機器という。不図示）が後段に設置されることを前提に設計されている。通電機能付き外部機器から出力端子Ｔ３に重畳された所定電圧値のＤＣ電力は、通電機能を有している分岐器２及び混合器１を経由してアンプＡ３及びＡ４に駆動電源として供給され、さらに分岐器２、混合器１、及びアンプＡ４を経由してＣＳ／ＢＳ−ＩＦ入力端子Ｔ２に重畳され、さらに給電スイッチＳＷ３がオン状態であるときに出力モニタ端子Ｔ４に重畳される。したがって、所定電圧値のＤＣ電力が、ＣＳ／ＢＳ−ＩＦ入力端子Ｔ２に接続される衛星放送受信用アンテナに付属するＬＮＢに駆動電源として供給される。また、給電スイッチＳＷ３をオン状態にすることにより、所定電圧値のＤＣ電力が、出力モニタ端子Ｔ４に接続される測定装置（不図示）に駆動電源として供給される。
【００３２】
ブースタの出力信号をモニタする際には出力モニタ端子Ｔ４に測定装置を接続する。これにより、通常動作状態のままブースタの出力信号をモニタすることが可能となり、アンテナとブースタとの接続不良等によるブースタの出力レベル不足やブースタの調整・設定不良等を確認することができる。
【００３３】
なお、出力モニタ端子Ｔ４と測定装置との接続形態は、出力モニタ端子Ｔ４と測定装置の入力端子とが直接接続される形態、出力モニタ端子Ｔ４と測定装置の入力端子とが同軸ケーブル等を介して接続される形態のいずれであっても構わない。
【００３４】
出力モニタ端子Ｔ４に接続される測定装置が内部電源（電池等）にて動作するタイプのものである場合は、ユーザ操作により給電スイッチＳＷ３をオフ状態にすることで、測定装置が問題なく動作し、ブースタの出力信号をモニタすることができる。一方、出力モニタ端子Ｔ４に接続される測定装置が測定対象の信号に重畳して当該測定装置の入力端子に供給される重畳電力にて動作するタイプのものである場合は、ユーザ操作により給電スイッチＳＷ３をオン状態にすることで、測定装置が問題なく動作し、ブースタの出力信号をモニタすることができる。
【００３５】
なお、上述した実施形態では、本発明に係る高周波機器としてブースタを例に挙げて説明したが、ブースタ以外の高周波機器にも本発明を適用することができる。また、上述した実施形態では、出力モニタ端子に接続する測定装置として簡易レベルチェッカを例に挙げて説明したが、簡易レベルチェッカ以外の測定装置を用いても構わない。また、上述した実施形態では、本発明に係る高周波機器の一例であるブースタに入力端子を２つ設けたが、１つ又は３つ以上でもよい。また、上述した実施形態では、本発明に係る高周波機器の一例であるブースタに出力端子を１つ設けたが、２つ以上でもよい。
【図面の簡単な説明】
【００３６】
【図１】は、本発明に係るブースタの一構成例を示す図である。
【図２】は、簡易レベルチェッカの外観例を示す図である。
【図３】は、本発明に係るブースタの他の構成例を示す図である。
【図４】は、出力モニタ端子を備える従来のブースタの一構成例を示す図である。
【符号の説明】
【００３７】
１  混合器
２  分岐器
３  ＡＣプラグ
４  定電圧回路
１１  入力端子
１２  表示部
１３  メニューボタン
１４  チャンネルボタン
１５  レンジ切換ボタン
１６  電源ボタン
Ａ１〜Ａ４  アンプ
Ｃ１〜Ｃ４  直流阻止用コンデンサ
Ｌ１〜Ｌ４  高周波阻止用コイル
ＳＷ１〜ＳＷ３  給電スイッチ
Ｔ１  ＵＨＦ／ＵＨＦ・ＶＨＦ入力端子
Ｔ２  ＣＳ／ＢＳ−ＩＦ入力端子
Ｔ３  出力端子
Ｔ４  出力モニタ端子
【図１】
2010114789.tif 000003
【図２】
2010114789.tif 000004
【図３】
2010114789.tif 000005
【図４】
2010114789.tif 000006